(57)【要約】【課題】ユーザの滞在場所や行動に合ったコンテンツを配信すること。【解決手段】コンテンツ配信システム１は、移動端末Ｍのユーザの属性と、移動端末Ｍに配信する広告データと、配信エリアとを関連付けて記憶する広告データベース１１と、複数のフェムトセルＣにより構成されるフェムトセルグループＧに存在する移動端末Ｍの位置情報と、その位置情報に対応する在圏時刻とを取得する位置取得部１２と、取得された位置情報及び在圏時刻に基づいてフェムトセルグループＧにおける移動端末Ｍの在圏時間を算出する算出部１４と、算出された在圏時間が所定の閾値以上である場合に、移動端末Ｍのユーザの属性と移動端末Ｍの位置とに対応する広告データを広告データベース１１から読み出すコンテンツ取得部１５と、読み出された広告データを移動端末Ｍに送信する送信部１６と、を備える。【選択図】図２
2010251950.tif 000002
【特許請求の範囲】
【請求項１】
移動端末のユーザの属性と、移動端末に配信するコンテンツデータと、コンテンツデータの配信エリアとを関連付けて記憶するデータベースと、
複数のフェムトセルにより構成されるエリアに存在する移動端末の位置情報と、該位置情報に対応する在圏時刻とを取得する位置取得手段と、
前記位置取得手段により取得された位置情報及び在圏時刻に基づいて前記エリアにおける前記移動端末の在圏時間を算出する算出手段と、
前記算出手段により算出された在圏時間が所定の閾値以上である場合に、前記移動端末のユーザの属性と該移動端末の位置とに対応するコンテンツデータを前記データベースから読み出すコンテンツ取得手段と、
前記コンテンツ取得手段により読み出されたコンテンツデータを前記移動端末に送信する送信手段と、
を備えるコンテンツ配信システム。
【請求項２】
前記位置情報及び前記在圏時刻はそれぞれ、前記移動端末が前記エリアを構成する一のフェムトセルに入った時の位置及び時刻であり、
前記算出手段は、前記エリアに最初に入った時刻から該エリア内の別のフェムトセルに入った時刻までの時間を、該時間において前記移動端末が入った該エリア内のフェムトセルの延数に基づいて補正することで前記在圏時間を算出する、
請求項１に記載のコンテンツ配信システム。
【請求項３】
前記位置情報及び前記在圏時刻はそれぞれ、前記移動端末が前記エリアを構成する一のフェムトセルに入った時の位置及び時刻であり、
前記算出手段は、前記エリアに最初に入った時刻から該エリア内の別のフェムトセルに入った時刻までの時間を前記在圏時間とする、
請求項１に記載のコンテンツ配信システム。
【請求項４】
前記位置情報及び前記在圏時刻はそれぞれ、前記移動端末が前記エリアを構成する一のフェムトセルに入った時の位置及び時刻であり、
前記算出手段は、前記エリアに最初に入った時刻から現在時刻までの時間を前記在圏時間とする、
請求項１〜３のいずれか一項に記載のコンテンツ配信システム。
【請求項５】
移動端末のユーザの属性と、移動端末に配信するコンテンツデータと、コンテンツデータの配信エリアとを関連付けて記憶するデータベースを備えるコンテンツ配信システムにより実行されるコンテンツ配信方法であって、
複数のフェムトセルにより構成されるエリアに存在する移動端末の位置情報と、該位置情報に対応する在圏時刻とを取得する位置取得ステップと、
前記位置取得ステップにおいて取得された位置情報及び在圏時刻に基づいて前記エリアにおける前記移動端末の在圏時間を算出する算出ステップと、
前記算出ステップにおいて算出された在圏時間が所定の閾値以上である場合に、前記移動端末のユーザの属性と該移動端末の位置とに対応するコンテンツデータを前記データベースから読み出すコンテンツ取得ステップと、
前記コンテンツ取得ステップにおいて読み出されたコンテンツデータを前記移動端末に送信する送信ステップと、
を含むことを特徴とするコンテンツ配信方法。
【発明の詳細な説明】
【技術分野】
【０００１】
本発明は、移動端末にコンテンツを配信するコンテンツ配信システム及びコンテンツ配信方法に関する。
【背景技術】
【０００２】
従来から、移動端末の位置とその端末のユーザの属性とに基づいて、ユーザの嗜好に合うコンテンツを配信する技術が知られている。例えば下記特許文献１には、基地局情報に基づいて算出した携帯電話機の位置とその検出時刻とを行動ログとして蓄積し、その行動ログに基づいて滞留時間を算出し、その滞留時間及びユーザ属性に合致するコンテンツを携帯電話機に配信するシステムが開示されている。
【先行技術文献】
【特許文献】
【０００３】
【特許文献１】特開２００２−３２４０７９号公報
【発明の概要】
【発明が解決しようとする課題】
【０００４】
しかしながら、従来の基地局がカバーするエリアは半径数百ｍ〜数ｋｍと広いので、移動端末（ユーザ）の詳細な位置を特定することが困難である。そのため、移動端末の位置情報に基づいて配信コンテンツを決定する際に、ユーザの滞在場所や行動にそぐわないコンテンツが選ばれる可能性がある。
【０００５】
本発明は上記課題を解決するためになされたものであり、ユーザの滞在場所や行動に合ったコンテンツを配信することが可能なコンテンツ配信システム及びコンテンツ配信方法を提供することを目的とする。
【課題を解決するための手段】
【０００６】
本発明のコンテンツ配信システムは、移動端末のユーザの属性と、移動端末に配信するコンテンツデータと、コンテンツデータの配信エリアとを関連付けて記憶するデータベースと、複数のフェムトセルにより構成されるエリアに存在する移動端末の位置情報と、該位置情報に対応する在圏時刻とを取得する位置取得手段と、位置取得手段により取得された位置情報及び在圏時刻に基づいてエリアにおける移動端末の在圏時間を算出する算出手段と、算出手段により算出された在圏時間が所定の閾値以上である場合に、移動端末のユーザの属性と該移動端末の位置とに対応するコンテンツデータをデータベースから読み出すコンテンツ取得手段と、コンテンツ取得手段により読み出されたコンテンツデータを移動端末に送信する送信手段と、を備える。
【０００７】
また、本発明のコンテンツ配信方法は、移動端末のユーザの属性と、移動端末に配信するコンテンツデータと、コンテンツデータの配信エリアとを関連付けて記憶するデータベースを備えるコンテンツ配信システムにより実行されるコンテンツ配信方法であって、複数のフェムトセルにより構成されるエリアに存在する移動端末の位置情報と、該位置情報に対応する在圏時刻とを取得する位置取得ステップと、位置取得ステップにおいて取得された位置情報及び在圏時刻に基づいてエリアにおける移動端末の在圏時間を算出する算出ステップと、算出ステップにおいて算出された在圏時間が所定の閾値以上である場合に、移動端末のユーザの属性と該移動端末の位置とに対応するコンテンツデータをデータベースから読み出すコンテンツ取得ステップと、コンテンツ取得ステップにおいて読み出されたコンテンツデータを移動端末に送信する送信ステップと、を含むことを特徴とする。
【０００８】
このようなコンテンツ配信システム及びコンテンツ配信方法によれば、通信可能範囲が数十ｍ程度のフェムトセルを複数組み合わせて成るエリアにおいて移動端末が一定時間以上在圏していた場合に、移動端末の位置とユーザの属性とに基づいて配信コンテンツが決定され、その移動端末に送信される。フェムトセルの範囲は従来の基地局のカバーエリア（マクロセル）よりもかなり小さいので、移動端末（ユーザ）の位置を精度良く得ることができる。その一方で、配信コンテンツを一つのフェムトセルの在圏時間に基づいて決定しようとすると、ユーザの行動パターンによっては、既に過ぎた場所に関連するコンテンツデータを選択してしまうなどの不都合が発生し得る。そこで、複数のフェムトセルで構成されるエリアに対する在圏時間を算出することで、移動端末の詳細な位置を取得し、且つユーザの行動により合致したコンテンツデータを選択することができる。その結果、ユーザの滞在場所や行動、時間などに合ったコンテンツを配信することが可能になる。
【０００９】
本発明のコンテンツ配信システムでは、位置情報及び在圏時刻はそれぞれ、移動端末がエリアを構成する一のフェムトセルに入った時の位置及び時刻であり、算出手段は、エリアに最初に入った時刻から該エリア内の別のフェムトセルに入った時刻までの時間を、該時間において移動端末が入った該エリア内のフェムトセルの延数に基づいて補正することで在圏時間を算出することが好ましい。
【００１０】
この場合、各フェムトセルへの入圏時刻に基づく時間を、エリア内における移動端末の移動状況に基づいて補正することで在圏時間を算出し、その在圏時間を用いてコンテンツを配信するか否かが決まる。これにより、単純な在圏時間で判断する場合と比べて、より的確な時期にコンテンツを配信することができる。
【００１１】
本発明のコンテンツ配信システムでは、位置情報及び在圏時刻はそれぞれ、移動端末がエリアを構成する一のフェムトセルに入った時の位置及び時刻であり、算出手段は、エリアに最初に入った時刻から該エリア内の別のフェムトセルに入った時刻までの時間を在圏時間とすることが好ましい。
【００１２】
この場合、各フェムトセルへの入圏時刻に基づいて算出された在圏時間を用いてコンテンツを配信するか否かが決まるので、的確な時期にコンテンツを配信することができる。
【００１３】
本発明のコンテンツ配信システムでは、位置情報及び在圏時刻はそれぞれ、移動端末がエリアを構成する一のフェムトセルに入った時の位置及び時刻であり、算出手段は、エリアに最初に入った時刻から現在時刻までの時間を在圏時間とすることが好ましい。
【００１４】
この場合、移動端末がエリアに最初に入ってから所定時間が経過した場合にコンテンツが配信される。したがって、移動端末が最初に入ったフェムトセルから移動しなかった場合でも、その端末がエリア内に一定時間以上在圏していることを検知してコンテンツを配信することができる。
【発明の効果】
【００１５】
このようなコンテンツ配信システム及びコンテンツ配信方法によれば、複数のフェムトセルで構成されるエリアに移動端末が一定時間以上在圏している場合に、移動端末の位置とユーザの属性とに基づいて配信コンテンツが決定されるので、ユーザの滞在場所や行動に合ったコンテンツを配信できる。
【図面の簡単な説明】
【００１６】
【図１】実施形態に係るコンテンツ配信システムの全体構成を示す図である。
【図２】図１に示す広告サーバの機能構成を示す図である。
【図３】図１に示す広告サーバのハードウェア構成を示す図である。
【図４】図１に示すコンテンツデータベースが記憶するデータを示す図であり、（ａ）は広告テーブル、（ｂ）はユーザテーブルである。
【図５】図１に示すフェムトデータベースが記憶するデータを示す図である。
【図６】図１に示す算出部が用いる閾値の決定方法を説明するための図である。
【図７】図１に示すコンテンツ配信システム（広告サーバ）の動作を示すフローチャートである。
【発明を実施するための形態】
【００１７】
以下、添付図面を参照しながら本発明の実施形態を詳細に説明する。なお、図面の説明において同一又は同等の要素には同一の符号を付し、重複する説明を省略する。
【００１８】
まず、図１〜６を用いて、実施形態に係るコンテンツ配信システム１の構成及び機能を説明する。
【００１９】
コンテンツ配信システム１は、ユーザの行動や属性に基づいて広告コンテンツを選択し移動端末Ｍに送信するコンピュータシステムである。なお、コンテンツ配信システム１が配信するコンテンツの種類は限定されず、地域情報やイベント情報などの様々コンテンツを配信してもよい。
【００２０】
図１に示すように、コンテンツ配信システム１は、移動端末Ｍと、移動端末Ｍとの間で直接信号を送受信するフェムトセル用超小型基地局（以下では「フェムト基地局」という）Ｂと、フェムト基地局Ｂとコアネットワークとを接続する基地局制御装置（Radio Network Controller：ＲＮＣ）２と、位置管理やアクセス制御などを実行するＳＧＳＮ（Serving GPRS Support Node）３と、コアネットワークと外部ネットワークとの接続点であるＧＧＳＮ（Gateway GPRS Support Node）４と、外部ネットワークからの信号を受け付けるＧＭＳＣ（Gateway Mobile-services Switching Center）５と、移動端末Ｍの加入者情報や位置情報などを記憶する加入者データベース（Home Location Register：ＨＬＲ）６と、広告サーバ１０とを備えている。
【００２１】
なお、移動端末Ｍとしては、例えば携帯電話機や携帯情報端末（Personal Digital Assistant：ＰＤＡ）などが考えられるが、移動端末Ｍの種類は限定されない。また、移動端末Ｍと広告サーバ１０との間の通信経路は図１に示すものに限定されず、任意のネットワーク構成に対して本発明を適用することが可能である。
【００２２】
図１では、各フェムト基地局Ｂがカバーする通信範囲をフェムトセルＣで示している。フェムトセルＣの範囲は、例えば数十ｍである。また、フェムトセルＣの集合をフェムトセルグループＧで示している。フェムトセルグループＧは、複数のフェムトセルＣにより構成されるエリアである。図１に示すように、フェムトセルグループＧ内のフェムトセルＣは互いに隣接していてもしていなくてもよい。図１ではフェムトセルグループＧは３個のフェムトセルＣで構成されているが、フェムトセルグループの大きさは任意に決定してよい。例えば広告効果などを考慮して、２個のフェムトセルをグループ化したり、１０個のフェムトセルをグループ化したりしてもよい。図１ではフェムトセルグループＧを一つのみ示しているが、その個数は限定されない。
【００２３】
フェムトセルグループＧは任意の場所に適用可能であるが、例えば駅周辺、オフィス街、バス停付近、交差点付近、繁華街、公園、商店街などでの所定の範囲内に適用することができる。
【００２４】
なお、既にフェムトセルグループＧがいくつか存在しているときに、新たに設置されたフェムト基地局Ｂに対応するフェムトセルＣをどのグループＧに加えるかは、任意に決定してよい。例えば、新たなフェムトセルＣとの距離が最も短いフェムトセルグループＧにそのフェムトセルＣを加えてもよいし、距離とは関係なく、道路の敷設状況などに基づいて特定のグループＧにそのフェムトセルＣを加えてもよい。
【００２５】
まず、移動端末Ｍの位置情報を取得してからその移動端末Ｍに広告データ（コンテンツデータ）を送信するまでの一連の流れを説明する。移動端末Ｍがあるフェムト基地局Ｂの通信エリア（フェムトセルＣ）に入ると位置登録処理が実行され、移動端末Ｍの端末ＩＤと、フェムト基地局Ｂの基地局ＩＤと、フェムト基地局Ｂの位置情報（緯度経度）と、フェムトセルＣへの入圏時刻とを含むデータがＲＮＣ２からＳＧＳＮ３に送信される。ＳＧＳＮ３は、受信したデータに基づいて移動端末ＭがフェムトセルＣ下に位置しているか否かを判定する。そして、移動端末ＭがフェムトセルＣに在圏しているならば、ＳＧＳＮ３はそのデータにフラグ情報（以下では「フェムト在圏フラグ」という）を付加してＧＧＳＮ４に送信する。ＧＧＳＮ４は受信したデータを広告サーバ１０に転送する。
【００２６】
広告サーバ１０はＧＧＳＮ４から受信したデータに基づいて広告データを抽出し、移動端末Ｍに向けて送信する。なお、広告サーバ１０内の処理については以下で詳細に説明する。広告データはまずＧＭＳＣ５により受信される。ＧＭＳＣ５は、同時に受信した端末ＩＤを用いてＨＬＲ６に移動端末Ｍの現在位置を問い合わせる。そして、ＧＭＳＣ５は取得した位置情報に対応するＳＧＳＮ３に広告データを送信する。その後、広告データはＳＧＳＮ３から対応するＲＮＣ２及びフェムト基地局Ｂを経由して移動端末Ｍに到達する。
【００２７】
次に、図２を用いて広告サーバの機能構成を説明する。広告サーバ１０は機能的構成要素として広告データベース１１、位置取得部（位置取得手段）１２、フェムトデータベース１３、算出部（算出手段）１４、コンテンツ取得部（コンテンツ取得手段）１５及び送信部（送信手段）１６を備えている。
【００２８】
広告サーバ１０は、図３に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどで構成される通信制御部１０４と、キーボードやマウスなどの入力部１０５と、モニタやプリンタなどの出力部１０６とで構成される。図２に示す各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００２９】
広告データベース１１は、移動端末Ｍのユーザの属性と、移動端末Ｍに配信するコンテンツデータと、コンテンツデータの配信エリアとを関連付けて記憶する部分である。広告データベース１１は、図４（ａ）に示す広告テーブルと、図４（ｂ）に示すユーザテーブルとを含んで構成されている。広告テーブルは、配信エリアを識別するエリアＩＤと、広告の内容を示す広告データと、配信対象とする性別及び年齢層と、配信時刻（配信時間帯でもよい）とが関連付けられた広告情報を格納している。一方、ユーザテーブルは、ユーザを識別するユーザＩＤと、そのユーザの属性（例えば性別、年齢、住所、勤務地、趣味など）とが関連付けられたユーザ情報を格納している。もっとも、広告データベース１１内のテーブルの構成は図４に示したものに限定されず、様々な変形が可能である。
【００３０】
位置取得部１２は、複数のフェムトセルにより構成されるエリア、すなわちフェムトセルグループに存在する移動端末の位置情報と、その位置情報に対応する在圏時刻とを取得する部分である。位置取得部１２は、ＧＧＳＮ４からデータを受信すると、その中にフェムト在圏フラグが含まれているか否か（移動端末ＭがフェムトセルＣ下に在圏しているか否か）を判定する。そして、フェムト在圏フラグが含まれている場合には、位置取得部１２は受信した端末ＩＤ、位置情報及び入圏時刻を算出部１４に出力する。なお、位置取得部１２は、ある一つの移動端末Ｍに関するデータを複数回受信する場合もあるが、その度に上記の処理を実行する。
【００３１】
フェムトデータベース１３は、フェムトセルグループに関する情報を記憶する部分である。具体的には、フェムトデータベース１３は、フェムトセルグループを示すグループＩＤと、そのグループに属する複数のフェムト基地局の基地局ＩＤ及び位置情報（緯度経度）と、グループ内での移動端末Ｍの在圏時間の閾値Ｔｍａｘとが互いに関連付けられたグループ情報を複数記憶している。例えばフェムトデータベース１３は、図５に示すように、グループＩＤ「Ｇ１」と、所属する２個のフェムト基地局に関する基地局ＩＤ及び位置情報「Ｃ１１，（Ｌａｔ１１，Ｌｎｇ１１）」、「Ｃ１２，（Ｌａｔ１２，Ｌｎｇ１２）」と、閾値「Ｔｍａｘ１」とから成るグループ情報を記憶している。
【００３２】
閾値Ｔｍａｘは、移動端末Ｍに広告データを配信するか否かを判定するために用いられる値であり、フェムトセルグループにおいて互いに最も離れている二つのフェムトセル間の距離に基づいて算出される。例えば、図６に示すような、５個のフェムトセルＣ１〜Ｃ５から成るフェムトセルグループＧａの場合には、フェムトセルＣ１，Ｃ４間の距離Ｌ（Ｃ１，Ｃ４）が一番長いので、このグループＧａに対応する閾値Ｔｍａｘはその距離Ｌ（Ｃ１，Ｃ４）に基づいて定まる。一般的には、フェムトセルＣ１，Ｃ２間の距離をＬ（Ｃ１，Ｃ２）というように表すこととし、グループ内のフェムトセルをＣ１，Ｃ２，…，Ｃｎとすると、閾値Ｔｍａｘは下記式により算出される。
Ｔｍａｘ＝ｍａｘ（Ｌ（Ｃ１，Ｃ２），Ｌ（Ｃ１，Ｃ３），…，Ｌ（Ｃ１，Ｃｎ），
…，Ｌ（Ｃ（ｎ−１），Ｃｎ））／ａ    …（１）
ここで、ａは距離を時間に換算するための定数であり、その次元は速度と同じである。
【００３３】
ａは任意に設定可能であるが、一例として、一般的な徒歩の速度よりも遅い速度をａに当てはめることが考えられる。これは、ユーザがフェムトセルグループ内を単純に徒歩で移動する場合には、そのユーザはグループ内（エリア内）に滞在しているとは言えず、このような状況を広告配信の対象から除外した方が好ましいからである。
【００３４】
算出部１４は、位置取得部１２により取得された位置情報及び在圏情報に基づいてフェムトセルグループＧにおける移動端末Ｍの在圏時間を算出する部分である。
【００３５】
移動端末Ｍに関する端末ＩＤ、位置情報及び入圏時刻が最初に入力されると、算出部１４は在圏時間の計測を開始する。算出部１４は、位置情報に対応するグループＩＤをフェムトデータベース１３から読み出すことで、移動端末Ｍが入圏したフェムトセルグループを特定し、そのグループＩＤを保持する。また、算出部１４は入圏時刻をグループ入圏時刻Ｔｘとして保持する。
【００３６】
その後、移動端末Ｍが別のフェムトセルＣに入ることで、同一の端末ＩＤに関する新たな位置情報及び入圏時刻が入力されると、算出部１４はその位置情報に対応するグループＩＤをフェムトデータベース１３から読み出し、そのグループＩＤが前回読み出したものと同じか否かを判定する。このとき、両者が同じ、すなわち移動端末Ｍが一つのフェムトセルグループ内に存在し続けているのであれば、算出部１４はそのグループＩＤに対応する閾値Ｔｍａｘをフェムトデータベース１３から読み出す。
【００３７】
そして、算出部１４は今回入力された入圏時刻Ｔｙと、保持しているグループ入圏時刻Ｔｘと、同一フェムトセルグループ内での位置登録回数Ｐと、読み出した閾値Ｔｍａｘとを用いて、下記式（２）が成立するか否かを判定する。ここで、位置登録回数Ｐは位置情報取得回数とも言うことができ、ある一つのフェムトセルグループＧにおいて移動端末Ｍが入圏したフェムトセルＣの延数を示している。
Ｔｙ−Ｔｘ＋ｆ（Ｐ）＞＝Ｔｍａｘ    …（２）
【００３８】
ここで、ｆ（Ｐ）は、在圏時間（Ｔｙ−Ｔｘ）と位置登録回数Ｐとから導かれる関数であり、位置登録回数を時間に換算する関数ということもできる。関数ｆ（Ｐ）は、位置登録回数Ｐが多ければ在圏時間（Ｔｙ−Ｔｘ）が短くても最終的に上記式（２）が成立するような値をとる。これは、移動端末Ｍがあるフェムトセルグループ内を十分に移動し続けていれば、在圏時間が短くても移動端末Ｍを広告配信対象とすることを意味する。したがって、上記式（２）の左辺は、位置登録回数に基づいて補正された在圏時間を示しているとも言える。
【００３９】
ｆ（Ｐ）は任意に定義してよいが、例えば、ｆ（ｐ）を下記式（３）のように定義することが考えられる。
ｆ（Ｐ）＝（Ｔｙ−Ｔｘ）／Ｋ×Ｐ    …（３）
ただし、Ｋは、フェムトセルグループ毎に予め定められた基準フェムト数である。基準フェムト数Ｋはフェムトセルグループの形状や現地の状況（施設や道路などの配置状況）などに基づいて任意に決定してよい。ここでは一例として、フェムトセルグループを直線的に横断する際に入圏する可能性のあるフェムトセルの数の最大値を基準フェムト数Ｋとする。
【００４０】
ｆ（ｐ）が上記式（３）で表され、且つあるフェムトセルグループを直線的に横断すると最大で１０個のフェムトセルに入圏する場合があるとすれば、算出部１４はそのフェムトセルグループの基準フェムト数Ｋを１０として予め記憶しておく。そして、例えばそのフェムトセルグループの閾値Ｔｍａｘを５０（分）、フェムトセルグループにおける現時点での在圏時間（Ｔｙ−Ｔｘ）を３０（分）とすれば、上記式（２）より
ｆ（ｐ）＞＝５０−３０＝２０    …（２´）
であり、上記式（３）より
ｆ（ｐ）＝３０／１０×Ｐ＝３×Ｐ    …（３´）
である。したがってこの場合には、上記式（２´），（３´）より、その時点で移動端末Ｍが延べ７個以上のフェムトセルに入圏していれば、移動端末Ｍは広告配信対象となる。
【００４１】
上記式（２）が成立する場合、すなわち在圏時間の推定値が閾値Ｔｍａｘ以上であれば、算出部１４は移動端末Ｍに広告データを配信するための指示信号を生成してコンテンツ取得部１５に出力する。この指示信号には端末ＩＤが含まれる。
【００４２】
一方、式（２）が成立しない場合、すなわち在圏時間の推定値が閾値Ｔｍａｘ未満であれば、算出部１４はまた新たに位置取得部１２から入力されてくる情報に基づいて上記式（２）を再計算し、上記と同様の判定処理を実行する。
【００４３】
新たに入力された位置情報に対応するグループＩＤが現在保持しているグループＩＤと異なる場合には、算出部１４は、上記（２）の計算を実行することなく、保持するグループＩＤ及びグループ入圏時刻Ｔｘを、それぞれ新たなグループＩＤ及び新たに入力された入圏時刻に変更する。そして、算出部１４は次の入力を待つ。
【００４４】
コンテンツ取得部１５は、算出部１４により算出された在圏時間が所定の閾値以上である場合に、移動端末Ｍのユーザの属性と移動端末Ｍの位置とに対応する広告データを広告データベース１１から読み出す部分である。
【００４５】
算出部１４から指示信号が入力された場合、コンテンツ取得部１５は、その指示信号に含まれる端末ＩＤに対応するユーザＩＤと、移動端末の位置情報に対応するエリアＩＤとを、図示しないデータベース又はテーブルを用いて取得する。なお、このような処理を省略するために、広告情報にエリアの範囲を示す情報を付加し、ユーザ情報に端末ＩＤを付加してもよい。また、配信エリアとフェムトセルグループとを完全に一致させた場合には、コンテンツ取得部１５はフェムトデータベース１３を参照してエリアＩＤを特定できる。続いて、コンテンツ取得部１５は、エリアＩＤ及びユーザＩＤに対応する広告データを広告データベース１１から読み出し、端末ＩＤと共に送信部１６に出力する。
【００４６】
送信部１６は、コンテンツ取得部１５により読み出された広告データを移動端末Ｍに送信する部分である。送信部１６は例えばＳＭＳ−ｐｕｓｈ機能により広告データ及び端末ＩＤを配信するが、送信の具体的手段はこれに限定されない。送信された広告データは上述したようにＧＭＳＣ５、ＳＧＳＮ３、ＲＮＣ２、フェムト基地局Ｂを経由して移動端末Ｍに到達する。
【００４７】
次に、図７を用いて、図１に示すコンテンツ配信システム１（広告サーバ１０）の動作を説明するとともに本実施形態に係るコンテンツ配信方法について説明する。
【００４８】
移動端末ＭがあるフェムトセルＣに入圏して、その位置情報及び入圏時刻が広告サーバ１０に送られてくると、位置取得部１２がその位置情報及び入圏時刻を取得する（ステップＳ１１、位置取得ステップ）。また、位置取得部１２はフェムト在圏フラグを検査して移動端末ＭがフェムトセルＣに在圏しているか否かを判定する。
【００４９】
そして、移動端末ＭがフェムトセルＣに在圏していると判定されると（ステップＳ１２；ＹＥＳ）、算出部１４が、最初に取得した位置情報及び入圏時刻と、その後取得した位置情報及び入圏時刻とに基づいて、一つのフェムトセルグループ内における移動端末Ｍの在圏時間を算出する（ステップＳ１３、算出ステップ）。具体的には、算出部１４は最初に取得した位置情報に対応するグループＩＤを保持すると共に、同時期に取得した入圏時刻をグループ入圏時刻として保持する。そして、その後入力された位置情報に対応するグループＩＤが保持しているものと同じであれば、算出部１４は上記式（２）の計算を実行する。一方、移動端末Ｍが別のフェムトセルグループＧに移動したために二つのグループＩＤが一致しなかった場合には、算出部１４は保持するグループＩＤ及びグループ入圏時刻を今回のグループＩＤ及び入圏時刻に変更する。
【００５０】
上記式（２）の計算において、在圏時間が閾値Ｔｍａｘ以上であったならば（ステップＳ１４；ＹＥＳ）、コンテンツ取得部１５がユーザＩＤで示されるユーザの属性と、移動端末Ｍが位置するエリアとに対応する広告データを広告データベース１１から取得する（ステップＳ１５、コンテンツ取得ステップ）。そして最後に、送信部１６がその広告データを移動端末Ｍに向けて送信する（ステップＳ１６、送信ステップ）。これにより、移動端末Ｍのユーザは、自身の属性と現在いる場所とに対応した広告を見ることができる。
【００５１】
一方、算出された在圏時間が閾値Ｔｍａｘ未満であったならば（ステップＳ１４；ＮＯ）、算出部１４は上記ステップＳ１３の処理を再度実行する。
【００５２】
以上説明したように、本実施形態によれば、フェムトセルＣを複数組み合わせて成るエリア（フェムトセルグループＧ）において移動端末Ｍが一定時間以上在圏していた場合に、移動端末Ｍの位置とユーザの属性とに基づいて広告データが決定され、その移動端末Ｍに送信される。このように、フェムト基地局Ｂを用いつつ、単独のフェムトセルＣよりも広い範囲毎に移動端末Ｍの在圏状況を把握することで、ユーザの詳細な滞在場所や行動、時間などに合った広告を配信することが可能になる。
【００５３】
また、本実施形態によれば、各フェムトセルＣへの入圏時刻に基づく時間を、フェムトセルグループＧ内における移動端末Ｍの移動状況に基づいて補正することで在圏時間を算出し、その在圏時間を用いて広告を配信するか否かが決まる。これにより、単純な在圏時間で判断する場合と比べて、より的確な時期に広告を配信することができる。
【００５４】
以上、本発明をその実施形態に基づいて詳細に説明した。しかし、本発明は上記実施形態に限定されるものではない。本発明は、その要旨を逸脱しない範囲で以下のような様々な変形が可能である。
【００５５】
上記実施形態では、算出部１４が、フェムトセルグループＧにおける在圏時間（Ｔｙ−Ｔｘ）を位置登録回数Ｐに基づいて補正した在圏時間を算出し、その在圏時間と閾値Ｔｍａｘとを比較することで広告配信の要否を判定したが（上記式（２）参照）、コンテンツ配信の要否の判定手法はこれに限定されない。
【００５６】
まず、位置登録回数を考慮することなく、単にフェムトセルグループＧ内の在圏時間が閾値Ｔｍａｘ以上であるかを判定することが考えられる。すなわち、算出部１４は、グループ入圏時刻Ｔｘと、今回入力された入圏時刻Ｔｙとに基づいて、下記式（４）が成立するか否かを判定し、成立する場合にはコンテンツ配信のための指示信号をコンテンツ取得部１５に出力してもよい。この場合には上記実施形態よりも簡易な計算で判定処理を実行できる。
Ｔｙ−Ｔｘ＞＝Ｔｍａｘ    …（４）
【００５７】
また、算出部１４は、グループ入圏時刻Ｔｘを取得した後、次の入圏時刻Ｔｙを取得しないまま閾値Ｔｍａｘが経過した場合、すなわち下記式（５）が成立した場合に、指示信号をコンテンツ取得部１５に出力してもよい。式（５）を用いることで、移動端末ＭがフェムトセルグループＧ内の一つのフェムトセルＣから移動しない場合でも移動端末Ｍの在圏状況を判定することができる。
（現在時刻）−Ｔｘ＞＝Ｔｍａｘ    …（５）
【００５８】
更に、算出部１４は、上記式（４）及び（５）のうちのいずれかが成立した場合に指示信号を出力してもよいし、上記式（２）及び（５）のうちのいずれかが成立した場合に指示信号を出力してもよい。
【符号の説明】
【００５９】
１…コンテンツ配信システム、１０…広告サーバ、１１…広告データベース、１２…位置取得部（位置取得手段）、１３…フェムトデータベース、１４…算出部（算出手段）、１５…コンテンツ取得部（コンテンツ取得手段）、１６…送信部（送信手段）、Ｂ…フェムト基地局、Ｃ…フェムトセル、Ｇ…フェムトセルグループ（複数のフェムトセルにより構成されるエリア）。
【図１】
2010251950.tif 000003
【図２】
2010251950.tif 000004
【図３】
2010251950.tif 000005
【図４】
2010251950.tif 000006
【図５】
2010251950.tif 000007
【図６】
2010251950.tif 000008
【図７】
2010251950.tif 000009